(57)【要約】【課題】テーブル上に載置されたコンピュータや監視装置等を、利用したい人が最適な方向に向けて利用することができる、操作卓テーブルを提供する。【解決手段】操作卓テーブル１は、操作卓テーブル１を床面に固定設置するための固定脚部１４と、この固定脚部１４上に載置される回動可能な回転脚部１２と、この回転脚部１２上に載置される円形テーブル１１とで構成される。そして、回転脚部１２は収納部１３を有しており、円形テーブル１１と、回転脚部１２の収納部１３とは、一体として水平方向に３６０度回転可能に構成されている。従って、テーブル１１上に載置されたコンピュータ２等を利用したい人が、該コンピュータ２等を最適な方向に向けて利用することができ、また、テーブル１１下の収納部１３に操作パネル等を持つ機器を収納しても同じ操作環境を得ることができる。【選択図】図１
2007124814.tif 000002
【特許請求の範囲】
【請求項１】
コンピュータまたは監視装置を載置して操作するための操作卓テーブルであって、
床面に固定設置される固定脚部と、
前記固定脚部上に載置され、収納部を有すると共に水平方向に回動可能な回転脚部と、
前記回転脚部上に載置され、該回転脚部と共に回動する円形テーブルと
を備えることを特徴とする操作卓テーブル。
【請求項２】
コンピュータまたは監視装置を載置して操作するための操作卓テーブルであって、
床面に固定設置される固定脚部と、
前記固定脚部上に載置され、収納部を有すると共に水平方向に回動可能な回転脚部と、
前記回転脚部上に載置され、該回転脚部と共に回動するテーブル天板と、
前記固定脚部に固定支持されると共に、前記回動可能なテーブル天板が上面に配置される円形テーブルと
を備えることを特徴とする操作卓テーブル。
【請求項３】
前記固定脚部と前記回転脚部の配線を接続するためのリング電極を設けたこと
を特徴とする請求項１または請求項２に記載の操作卓テーブル。
【発明の詳細な説明】
【技術分野】
【０００１】
本発明は、コンピュータ（ＰＣ等）や、その他の監視装置等を載置して操作するための操作卓テーブルに関するものである。
【背景技術】
【０００２】
図６は、従来の操作卓テーブルの例を示す図である。図６（Ａ）は、従来の操作卓テーブル１Ｂの正面図を示しており、図６（Ｂ）は側面図を示している。図６に示す操作卓テーブル１Ｂは、テーブル１１と、該テーブル１１の支持台である固定脚部６により構成されている。また、固定脚部６には収納部７が設けられている。そして、テーブル１１のテーブル面上に、例えば、ビル設備や工場の生産設備等の監視装置として使用されるＣＲＴ表示型のコンピュータ（ＰＣ等）２やキーボード３等を載置する。また、該収納部７には、関連する機器や資料等が収納される。
【０００３】
なお、コンピュータ２は、該コンピュータ２に付属する回転台５上に載せて使用される場合がある。また、ＣＲＴ表示型のコンピュータ２の代わりに、ＬＣＤ（液晶）表示型のコンピュータ４を使用する場合もある。
【０００４】
ところで、１つの表示装置（コンピュータの表示画面）が複数の機能を持つようになり、複数の人が1台のコンピュータ２で作業をすることが多くなってきている。また、監視室、事務所といった限られたスペースを有効に活用するために、1台のコンピュータ２を監視卓などとして複数の人が利用する場合もある。
【０００５】
しかしながら、図６に示す従来の操作卓テーブルにおいては、コンピュータ２を、一つの方向からしか利用できないため、操作性が悪く、また、効率的な室内レイアウトができないという問題があった。
【０００６】
なお、従来技術の監視盤がある。この従来技術の監視盤は、共通設備に関する指示計器類、操作用機器類を、回動自在な回動台を備える函体の盤面に集中して装着することで、設置所要スペースを縮小し、誤操作の問題を解消することを目的としている。
【０００７】
このために、共通監視盤は、床面に据え付けられた支持台と支持台上に回動自在に載置された回動台で構成された函体と、回動台の盤面に単位監視盤に共通する設備に関する指示計器類，操作用機器類を集中して装着して形成した監視操作部とを有する。この共通監視盤を、複数の単位監視盤の近隣に配置して監視盤を構成する。これにより、監視盤の設置所要スペースを縮小でき、かつ、計器等を装着した盤面を、監視員に確認・操作が容易な方向に向けることができるので、担当の異なる監視員が操作を担当しなければならないことで生じる誤操作の問題を解消することができる。
【０００８】
しかしながら、上記従来技術の監視盤は、単位監視盤の近隣に配置する共通監視盤の部分を支持台上で回動自在にしたものであり、本発明のように、固定的な用途の監視盤のみならず、通常のコンピュータ（ＰＣ等）やその他の監視機器をテーブル上に回動自在に載置して利用できるようにし、また、また、テーブル下の収納部も同時に回転するようにし、該収納部に操作パネル等を持つ機器を収納しても、同じ操作環境を得ることができるようにしたものとは、発明の目的と構成とが異なるものである。
【特許文献１】特開平５−１８４０２１号公報
【発明の開示】
【発明が解決しようとする課題】
【０００９】
上述したように、１つの表示装置（コンピュータの表示画面）が複数の機能を持つようになり、複数の人が1台のコンピュータ２で作業をすることが多くなってきている。また、監視室、事務所といった限られたスペースを有効に使用するために、1台のコンピュータ２を複数の人が利用するようになってきている。しかしながら、図６に示す従来の操作卓テーブルにおいては、コンピュータ２を、一つの方向からしか利用できないため、操作性が悪く、効率的な室内レイアウトができないという問題があった。
【００１０】
本発明はこのような問題を解決するためになされたもので、その目的は、テーブル上に載置されたコンピュータや監視装置等を、利用したい人が最適な方向に向けて利用することができ、また、テーブル下の収納部に操作パネルを持つ機器等を収納しても同じ操作環境を得ることができる、操作卓テーブルを提供することにある。
【課題を解決するための手段】
【００１１】
本発明は、上記課題を解決するためになされたものであり、本発明の操作卓テーブルは、コンピュータまたは監視装置を載置して操作するための操作卓テーブルであって、床面に固定設置される固定脚部と、前記固定脚部上に載置され、収納部を有すると共に水平方向に回動可能な回転脚部と、前記回転脚部上に載置され、該回転脚部と共に回動する円形テーブルとを備えることを特徴とする。
このような構成により、固定脚部の上に、収納部を備えた回転脚部を回動自在に載置し、この回転脚部の上に円形のテーブルを載置し、円形テーブルと収納部とを同時に水平方向に回転できるようにする。
これにより、テーブルが水平方向に３６０度回転でき、このテーブル上にコンピュータやその他監視機器等を載置し、利用したい人が最適な方向に向けて利用することができる。また、収納部もテーブルと同時に回転するようにしたので、これにより、例えば、テーブル下の収納部に操作パネル等を持つ機器を収納しても、同時に回転するため、同じ操作環境を得ることができる。
【００１２】
また、本発明の操作卓テーブルは、コンピュータまたは監視装置を載置して操作するための操作卓テーブルであって、床面に固定設置される固定脚部と、前記固定脚部上に載置され、収納部を有すると共に水平方向に回動可能な回転脚部と、前記回転脚部上に載置され、該回転脚部と共に回動するテーブル天板と、前記固定脚部に固定支持されると共に、前記回動可能なテーブル天板が上面に配置される円形テーブルとを備えることを特徴とする。
このような構成により、固定脚部の上に、収納部を備えた回転脚部を回動自在に載置し、この回転脚部と連動するテーブル天板を円形のテーブル面上に配置する。そして、テーブル天板と収納部とを同時に水平方向に回転できるようにする。なお、テーブル自体は固定脚部に支持され、回転しない。
これにより、テーブル天板が３６０度回転でき、テーブル天板に載置したコンピュータやその他監視機器等を、利用したい人が最適な方向に向けて利用することができる。また、収納部もテーブル天板と同時に回転するようにしたので、これにより、例えば、テーブル下の収納部に操作パネル等を持つ機器を収納しても、テーブル天板と同時に回転するため、同じ操作環境を得ることができる。さらに、回転脚部はテーブル全体を支持しないので、回転脚部を支持する回動機構（ボールキャスタなど）の負荷が軽くなり、その分、重量物を収納部に収納できるようになる。
【００１３】
また、本発明の操作卓テーブルは、前記固定脚部と前記回転脚部の配線を接続するためのリング電極を設けたことを特徴とする。
このような構成により、固定脚部から回転脚部への給電をリング電極を通して行うようにする。これにより、回転脚部を回転させた場合に、配線がよじれて断線するようなことがなくなる。なお、リング電極は、交流電源の給電用のみならず、アース線や信号線の配線接続にも利用することができる。
【発明の効果】
【００１４】
本発明の操作卓テーブルにおいては、テーブルが３６０度回転できるようにしたので、これにより、このテーブルに載置されたコンピュータやその他監視機器等を、利用したい人が最適な方向に向けて利用することができる。また、収納部もテーブルと同時に回転するようにしたので、これにより、例えば、テーブル下の収納部に操作パネル等を持つ機器を収納しても、収納部がテーブルと同時に回転するため、同じ操作環境を得ることができる。
【発明を実施するための最良の形態】
【００１５】
次に本発明を実施するための最良の形態について図面を参照して説明する。
図１は、本発明による操作卓テーブルの構成例を示す図であり、操作卓テーブルの概観を示したものである。図１（Ａ）は、操作卓テーブル１の正面図と底面図を示しており、図１（Ｂ）は、操作卓テーブル１の側面図と上面図を示している。
【００１６】
図１に示す操作卓テーブル１は、固定脚部１４の上に回転脚部１２が回動可能に載置され、また、回転脚部１２の上に円形のテーブル１１が載置されて構成されている。また、固定脚部１４の下面には床固定板１５が設けられ、該床固定板１５に設けられた床固定用穴１６により固定脚部１４を床面に固定する。また、回転脚部１２には、収納部１３が設けられており、この収納部１３に、テーブル１１に載置されたコンピュータ２や、その他の監視装置に関連する機器や資料類等が収納される。また、固定脚部１４には、交流電源ＡＣ１００Ｖの給電用の配線用穴１７が設けられている。
【００１７】
上記構成により、操作卓テーブル１は、テーブル１１のテーブル面全体を円形にし、また、テーブル１１の全体が３６０回転自在なように構成されており、テーブル面１１ａ上に載置されたコンピュータ２やキーボード３を含む全体が３６０度自由に方向を変えられるようになっている。また、テーブル１１の下の回転脚部１２に設けられた収納部１３もテーブル１１と同時に回転するため、例えば、収納部１３に収納された関連する機器の操作面も同時に同じ方向に変えることができる。
【００１８】
図２、図３、および図４は、固定脚部と回転脚部の機構の構成例を示す図である。
回転脚部１２は、図３に示すように、底面に、円形溝穴である嵌合用凹部２１が設けられ、また、該嵌合用凹部２１から上面側に向かって円形溝穴である電極用凹部２２が設けられている。また、嵌合用凹部２１と同じ中心を持つサークル上に、球状支持具であるボールキャスタ２３が４個配列されている。なお、ボールキャスタ２３は３個以上であればよい。
【００１９】
固定脚部１４は、図４に示すように、上面に、円柱状の嵌合用凸部３１が設けられ、また嵌合用凸部３１の上面に円柱状の電極用凸部３２が設けられている。また、電極用凸部３２には、帯状に電力給電用の２極のリング電極３３が巻かれている。なお、リング電極３３は２極に限らず３極以上であってもよい（例えば、アース線や信号線の接続に使用する）。
【００２０】
そして、図２に示すように、固定脚部１４と回転脚部１２とは、固定脚部１４の嵌合用凸部３１と、回転脚部１２の嵌合用凹部２１とが嵌め合わされ、水平面方向の位置が規制され、また回転中心軸が決められる。また、回転脚部１２の底面に設けられたボールキャスタ２３により回転脚部１２は固定脚部１４上に支持され、該ボールキャスタ２３により回転脚部１２が回転可能になる。
【００２１】
また、電極用凸部３２に巻かれた２極のリング電極３３には配線３４により交流電源ＡＣ１００Ｖが接続されている。このリング電極３３には、回転脚部１２側に設けられたブラシ４１が接触してすり動くようになっており、該ブラシ４１に接続された配線４２を通してテーブル面上のテーブルタップ４３に交流電源が供給される。
【００２２】
なお、テーブル１１の全体を回転するのではなく、テーブル１１の上にテーブル天板を設け、このテーブル天板を３６０度回転自在にするようにしてもよい。以下、このテーブル天板を回転させる例について説明する。
【００２３】
図５は、テーブル天板を回転させる構成例を示す図である。図５に示す操作卓テーブル１Ａにおいては、テーブル１１のテーブル面上にテーブル天板１８を設ける。このテーブル天板１８は、テーブル１１とは分離しており、回転脚部１２と連動して回転するように構成されている。テーブル１１は図示しない機構により固定脚部１４に固定支持されており、テーブル１１自体は回転しない。このような構成により、テーブル天板１８および該テーブル天板１８に載置されたコンピュータ２等を支持する回動機構（ボールキャスタなど）の負荷が軽くなり、その分、重量物をテーブル下に収納できるようになる。
【００２４】
以上説明したように、本発明の操作卓テーブルにおいては、テーブル１１またはテーブル天板１８が３６０度回転できるようにしたので、これにより、テーブル１１またはテーブル天板１８の載置されたコンピュータやその他監視機器等を、利用したい人が最適な方向に向けて利用することができる。また、収納部１３も、テーブル１１またはテーブル天板１８と同時に回転するようにしたので、これにより、テーブル下の収納部１３に操作パネル等を持つ機器等を収納しても、同時に同じ方向に回転するため同じ操作環境を得ることができる。
【００２５】
以上、本発明の実施の形態について説明したが、本発明の操作卓テーブルは、上述の図示例にのみ限定されるものではなく、本発明の要旨を逸脱しない範囲内において種々変更を加え得ることは勿論である。
【産業上の利用可能性】
【００２６】
本発明においては、コンピュータや監視装置等を載置したテーブルを３６０度回転できるようにし、また、テーブル下の収納部もテーブルと同時に回転するようにし、操作卓の操作性の向上と、効率的な室内レイアウトを実現できるようにしたので、本発明は操作卓テーブル等に有用である。
【図面の簡単な説明】
【００２７】
【図１】本発明による操作卓テーブルの構成例を示す図である。
【図２】固定脚部と回転脚部の機構の構成例を示す図である。
【図３】回転脚部の構成について説明するための図である。
【図４】固定脚部の構成について説明するための図である。
【図５】テーブル天板を回転させる構成例を示す図である
【図６】従来の操作卓テーブルの例を示す図である。
【符号の説明】
【００２８】
１、１Ａ、１Ｂ…操作卓テーブル
２、４…コンピュータ
３…キーボード
５…回転台
１１…テーブル
１１ａ…テーブル面
１２…回転脚部
７、１３…収納部
６、１４…固定脚部
１５…床固定板
１６…床固定用穴
１７…配線用穴
１８…テーブル天板
２１…嵌合用凹部
２２…電極用凹部
２３…ボールキャスタ
３１…嵌合用凸部
３２…電極用凸部
３３…リング電極
３４、４２…配線
４１…ブラシ
４３…テーブルタップ
【図１】
2007124814.tif 000003
【図２】
2007124814.tif 000004
【図３】
2007124814.tif 000005
【図４】
2007124814.tif 000006
【図５】
2007124814.tif 000007
【図６】
2007124814.tif 000008